(57)【要約】【課題】印刷手段により印刷される印刷画像と、ファクシミリ手段により送信される送信画像とを簡単な操作で適切に形成することができる画像処理プログラムおよび画像処理装置を提供する。【解決手段】Ｓ２２の判断処理において、コマンドラインで送信先が指定されていない場合は（Ｓ２２：Ｎｏ）、ＰＰＤ６ｃから、設定画面１５の出力設定ボックス１５ｂにより設定された設定情報を取出し（Ｓ２３）、ファクシミリ送信が設定されているかを判断する（Ｓ２４）。ＰＰＤ６ｃは、画質や記録用紙サイズなどお印刷とファクシミリ送信とで共通の項目が設定されている。ファクシミリ送信が設定されている場合は（Ｓ２４：Ｙｅｓ）、ＰＰＤ６ｃに記憶されている項目に基づいて送信情報を形成し（Ｓ２６）、印刷が設定されている場合は（Ｓ２４：Ｎｏ）、ＰＰＤ６ｃに記憶されている項目に基づいて印刷情報を形成する（Ｓ２５）。  【選択図】  図５
2007060065.tif 000002
【特許請求の範囲】
【請求項１】
ファクシミリ手段と印刷手段とを併せ持つ装置にデータを送信する画像処理プログラムにおいて、
前記ファクシミリ手段と印刷手段とのいずれかの出力先を決定する出力先決定ステップと、
前記ファクシミリ手段と印刷手段とで共通に存在する機能について共通項目として設定可能に構成された設定手段により設定された値を読み取る設定読み取りステップと、
その設定読み取りステップにより読み取られた値を前記出力先決定ステップにより決定された出力先に応じて変更し、その変更された設定値に応じた画像データを生成する画像データ生成ステップと、
その画像データ生成ステップにより生成された画像データを前記出力先決定ステップにより決定された前記ファクシミリ手段または印刷手段に対して送信する送信ステップとを備えていることを特徴とする画像処理プログラム。
【請求項２】
前記画像データ生成ステップは、前記ファクシミリ手段により送信される送信画像を生成する送信画像生成ステップと、前記印刷手段により印刷される印刷画像を生成する印刷画像生成ステップとを備え、
前記設定読み取りステップは、前記設定手段により設定された画像の画質を読み取るものであって、
前記印刷画像生成ステップは、前記設定読み取りステップにより読み取られた画質に基づいて前記印刷手段により印刷される印刷画像の解像度を設定してその解像度に応じた印刷画像を生成し、
前記送信画像生成ステップは、前記設定読み取りステップにより読み取られた画質に基づいて前記ファクシミリ手段により送信される送信画像の解像度を前記印刷画像の解像度とは異なる解像度に設定してその解像度に応じた送信画像を生成するものであることを特徴とする請求項１記載の画像処理プログラム。
【請求項３】
前記設定読み取りステップは、前記設定手段により設定された前記印刷手段または前記ファクシミリ手段により送信される画像の記録用紙のサイズを読み取るものであり、
前記ファクシミリ手段により送信される送信画像の記録用紙のサイズが、前記設定読み取りステップにより読み取られた記録用紙のサイズが特定の記録用紙サイズである場合は、警告を発生する警告発生ステップを備えていることを特徴とする請求項１または２記載の画像処理プログラム。
【請求項４】
前記設定読み取りステップは、前記設定手段により設定された前記印刷手段または前記ファクシミリ手段により送信される画像の記録用紙のサイズを読み取るものであり、
前記設定読み取りステップにより読み取られた前記ファクシミリ手段により送信される画像の記録用紙サイズが、特定の記録用紙サイズに設定された場合は、設定された記録用紙サイズを変更する記録用紙サイズ変更ステップを備えていることを特徴とする請求項１から３のいずれかに記載の画像処理プログラム。
【請求項５】
前記記録用紙サイズ変更ステップにより記録用紙サイズが変更された場合は、前記設定読み取りステップにより読み取られた記録用紙のサイズと、前記記録用紙変更ステップにより変更された記録用紙のサイズとの比率に応じて、送信画像のサイズを拡大または縮小する送信画像拡大縮小ステップを備えていることを特徴とする請求項４記載の画像処理プログラム。
【請求項６】
前記ファクシミリ手段により送信される送信先を指定する送信先指定ステップを備え、  その送信先指定ステップにより送信先が指定されている場合は、前記送信画像生成ステップにより送信画像を生成するように制御する制御ステップを備えていることを特徴とする請求項１から５のいずれかに記載の画像処理プログラム。
【請求項７】
ファクシミリ手段と印刷手段とを併せ持つ画像処理装置において、
前記ファクシミリ手段と印刷手段とのいずれかの出力先を決定する出力先決定手段と、
前記ファクシミリ手段と印刷手段とで共通に存在する機能について共通項目として設定可能に構成された設定手段と、
その設定手段により設定された値を読み取る設定読み取り手段と、
その設定読み取り手段により読み取られた値を前記出力先決定手段により決定された出力先に応じて変更し、その変更された設定値に応じた画像データを生成する画像データ生成手段と、
その画像データ生成手段により生成された画像データを、前記出力先決定手段により決定された前記ファクシミリ手段または印刷手段に対して送信する送信手段とを備えていることを特徴とする画像処理装置。
【請求項８】
前記設定手段は、前記ファクシミリ手段と印刷手段とで共通に存在する機能を表示し、その機能について共通項目として設定可能に構成された設定画面を表示する表示手段を備えていることを特徴とする請求項７記載の画像処理装置。
【発明の詳細な説明】
【技術分野】
【０００１】
本発明は、印刷手段とファクシミリ手段とを有する画像処理装置や、その画像処理装置に画像を送信するコンピュータなどにより実行される画像処理プログラムに関するものである。
【背景技術】
【０００２】
文章や図形を含む画像を作成し、画像を印刷する印刷手段と、受信者に送信を行うファクシミリ手段とを備えた多機能周辺装置に、送信することにより印刷またはファクシミリ送信を行うコンピュータや、そのコンピュータで実行される画像処理プログラムが知られている。
【０００３】
特開平８−３０７７０２号公報（特許文献１）には、プリンタ、スキャナ、電話、あるいはファクシミリ装置としての機能を有する多機能周辺装置を制御するコンピュータが開示されている。
【０００４】
また、特開２０００−２２４３６５号公報（特許文献２）には、印刷およびファクシミリ送信を行う装置に対し、共通の圧縮方式で画像情報と、この画像情報を印刷またはファクシミリ送信のいずれを行うかを指示する本装置と、この画像情報と指示情報を受信して処理を行う多機能周辺装置とが開示されている。
【特許文献１】特開平８−３０７７０２号公報
【特許文献２】特開２０００−２２４３６５号公報
【発明の開示】
【発明が解決しようとする課題】
【０００５】
しかしながら、従来の多機能周辺装置により印刷される印刷画像またはファクシミリ送信される送信画像を送信する機能を有するコンピュータにおいて、印刷画像と送信画像の態様を共通に設定し、その態様に基づいて印刷画像と送信画像とがそれぞれ形成されることがなく、使い勝手が良くないという問題点があった。
【０００６】
本発明は、上記問題点を解決するためになされたものであり、印刷手段により印刷される印刷画像と、ファクシミリ手段により送信される送信画像とを簡単な操作で適切に形成することができる画像処理プログラムおよび画像処理装置を提供することを目的としている。
【課題を解決するための手段】
【０００７】
この目的を達成するために、本発明の請求項１記載の画像処理プログラムは、ファクシミリ手段と印刷手段とを併せ持つ装置にデータを送信するものであって、前記ファクシミリ手段と印刷手段とのいずれかの出力先を決定する出力先決定ステップと、前記ファクシミリ手段と印刷手段とで共通に存在する機能について共通項目として設定可能に構成された設定手段により設定された値を読み取る設定読み取りステップと、その設定読み取りステップにより読み取られた値を前記出力先決定ステップにより決定された出力先に応じて変更し、その変更された設定値に応じた画像データを生成する画像データ生成ステップと、その画像データ生成ステップにより生成された画像データを前記出力先決定ステップにより決定された前記ファクシミリ手段または印刷手段に対して送信する送信ステップとを備えている。
【０００８】
請求項２記載の画像処理プログラムは、請求項１記載の画像処理プログラムにおいて、前記画像データ生成ステップは、前記ファクシミリ手段により送信される送信画像を生成する送信画像生成ステップと、前記印刷手段により印刷される印刷画像を生成する印刷画像生成ステップとを備え、前記設定読み取りステップは、前記設定手段により設定された画像の画質を読み取るものであって、前記印刷画像生成ステップは、前記設定読み取りステップにより読み取られた画質に基づいて前記印刷手段により印刷される印刷画像の解像度を設定してその解像度に応じた印刷画像を生成し、前記送信画像生成ステップは、前記設定読み取りステップにより読み取られた画質に基づいて前記ファクシミリ手段により送信される送信画像の解像度を前記印刷画像の解像度とは異なる解像度に設定してその解像度に応じた送信画像を生成するものである。
【０００９】
請求項３記載の画像処理プログラムは、請求項１または２記載の画像処理プログラムにおいて、前記設定読み取りステップは、前記設定手段により設定された前記印刷手段または前記ファクシミリ手段により送信される画像の記録用紙のサイズを読み取るものであり、前記ファクシミリ手段により送信される送信画像の記録用紙サイズが、前記画像態様設定ステップにより特定の記録用紙サイズに設定された場合は、警告を発生する警告発生ステップを備えている。
【００１０】
請求項４記載の画像処理プログラムは、請求項１から３のいずれかに記載の画像処理プログラムにおいて、前記設定読み取りステップは、前記設定手段により設定された前記印刷手段または前記ファクシミリ手段により送信される画像の記録用紙のサイズを読み取るものであり、前記設定読み取りステップにより読み取られた前記ファクシミリ手段により送信される画像の記録用紙サイズが、特定の記録用紙サイズに設定された場合は、設定された記録用紙サイズを変更する記録用紙サイズ変更ステップを備えている。
【００１１】
請求項５記載の画像処理プログラムは、請求項４記載の画像処理プログラムにおいて、前記記録用紙サイズ変更ステップにより記録用紙サイズが変更された場合は、前記設定読み取りステップにより読み取られた記録用紙のサイズと、前記記録用紙変更ステップにより変更された記録用紙のサイズとの比率に応じて、送信画像のサイズを拡大または縮小する送信画像拡大縮小ステップを備えている。
【００１２】
請求項６記載の画像処理プログラムは、請求項１から５のいずれかに記載の画像処理プログラムにおいて、前記ファクシミリ手段により送信される送信先を指定する送信先指定ステップを備え、その送信先指定ステップにより送信先が指定されている場合は、前記送信画像生成ステップにより送信画像を生成するように制御する制御ステップを備えている。
【００１３】
請求項７記載の画像処理装置は、ファクシミリ手段と印刷手段とを併せ持つものであって、前記ファクシミリ手段と印刷手段とのいずれかの出力先を決定する出力先決定手段と、前記ファクシミリ手段と印刷手段とで共通に存在する機能について共通項目として設定可能に構成された設定手段と、その設定手段により設定された値を読み取る設定読み取り手段と、その設定読み取り手段により読み取られた値を前記出力先決定手段により決定された出力先に応じて変更し、その変更された設定値に応じた画像データを生成する画像データ生成手段と、その画像データ生成手段により生成された画像データを、前記出力先決定手段により決定された前記ファクシミリ手段または印刷手段に対して送信する送信手段とを備えている。
【００１４】
請求項８記載の画像処理装置は、請求項７記載の画像処理装置において、前記設定手段は、前記ファクシミリ手段と印刷手段とで共通に存在する機能を表示し、その機能について共通項目として設定可能に構成された設定画面を表示する表示手段を備えている。
【発明の効果】
【００１５】
請求項１記載の画像処理プログラムによれば、ファクシミリ手段と印刷手段とのいずれかの出力先を決定する出力先決定ステップと、ファクシミリ手段と印刷手段とで共通に存在する機能について共通項目として設定可能に構成された設定手段により設定された値を読み取る設定読み取りステップと、その設定読み取りステップにより読み取られた値を出力先決定ステップにより決定された出力先に応じて変更し、その変更された設定値に応じた画像データを生成する画像データ生成ステップと、その画像データ生成ステップにより生成された画像データを出力先決定ステップにより決定されたファクシミリ手段または印刷手段に対して送信する送信ステップとを備えているので、印刷とファクシミリ送信の設定が共通に一度の設定で行うことができ、操作が容易である。また、共通に設定された機能に応じて、印刷とファクシミリ送信とのそれぞれに最適な設定を行うことができるという効果がある。
【００１６】
請求項２記載の画像処理プログラムによれば、請求項１記載の画像処理プログラムの奏する効果に加え、ファクシミリ手段により送信される送信画像を生成する送信画像生成ステップと、印刷手段により印刷される印刷画像を生成する印刷画像生成ステップとを備え、設定読み取りステップは、設定手段により設定された画像の画質を読み取るものであって、印刷画像生成ステップは、設定読み取りステップにより読み取られた画質に基づいて印刷手段により印刷される印刷画像の解像度を設定してその解像度に応じた印刷画像を生成し、送信画像生成ステップは、設定読み取りステップにより読み取られた画質に基づいてファクシミリ手段により送信される送信画像の解像度を印刷画像の解像度とは異なる解像度に設定してその解像度に応じた送信画像を生成するものであるので、印刷とファクシミリ送信の画質が共通に設定され、その画質に応じて印刷とファクシミリ送信の解像度がそれぞれ最適な解像度に設定されるという効果がある。
【００１７】
請求項３記載の画像処理プログラムによれば、請求項１または２記載の画像処理プログラムの奏する効果に加え、設定読み取りステップは、設定手段により設定された印刷手段またはファクシミリ手段により送信される画像の記録用紙のサイズを読み取るものであり、ファクシミリ手段により送信される送信画像の記録用紙サイズが、画像態様設定ステップにより特定の記録用紙サイズに設定された場合は、警告を発生する警告発生ステップを備えているので、ファクシミリ送信を行う場合に、ファクシミリ送信においては使用されない記録用紙サイズが設定された場合に、ユーザに知らせることができるという効果がある。
【００１８】
請求項４記載の画像処理プログラムによれば、請求項１から３のいずれかに記載の画像処理プログラムの奏する効果に加え、設定読み取りステップは、設定手段により設定された印刷手段またはファクシミリ手段により送信される画像の記録用紙のサイズを読み取るものであり、設定読み取りステップにより読み取られたファクシミリ手段により送信される画像の記録用紙サイズが、特定の記録用紙サイズに設定された場合は、設定された記録用紙サイズを変更する記録用紙サイズ変更ステップを備えているので、ファクシミリ送信を行う場合に、ファクシミリ送信においては使用されない記録用紙サイズが設定された場合に、ファクシミリ送信で用いられる用紙サイズに変更することができ、操作が容易になるという効果がある。
【００１９】
請求項５記載の画像処理プログラムによれば、請求項４記載の画像処理プログラムの奏する効果に加え、記録用紙サイズ変更ステップにより記録用紙サイズが変更された場合は、設定読み取りステップにより読み取られた記録用紙のサイズと、記録用紙変更ステップにより変更された記録用紙のサイズとの比率に応じて、送信画像のサイズを拡大または縮小する送信画像拡大縮小ステップを備えているので、記録用紙サイズを誤って設定しても所定の用紙サイズに設定されるとともに、送信が画像の大きさが所定の用紙サイズに適合されたものになり、見やすい画像が送信されるという効果がある。
【００２０】
請求項６記載の画像処理プログラムによれば、請求項１から５のいずれかに記載の画像処理プログラムの奏する効果に加え、ファクシミリ手段により送信される送信先を指定する送信先指定ステップを備え、その送信先指定ステップにより送信先が指定されている場合は、送信画像生成ステップにより送信画像を生成するように制御する制御ステップを備えているので、送信先の電話番号などを指定した場合は、ファクシミリ送信であるとして、ファクシミリ送信画像を生成するので、印刷を行うのか、あるいはファクシミリ送信を行うかの選択操作が不要となり、操作が容易になるという効果がある。
【００２１】
請求項７記載の画像処理装置によれば、ファクシミリ手段と印刷手段とのいずれかの出力先を決定する出力先決定手段と、ファクシミリ手段と印刷手段とで共通に存在する機能について共通項目として設定可能に構成された設定手段と、その設定手段により設定された値を読み取る設定読み取り手段と、その設定読み取り手段により読み取られた値を出力先決定手段により決定された出力先に応じて変更し、その変更された設定値に応じた画像データを生成する画像データ生成手段と、その画像データ生成手段により生成された画像データを、出力先決定手段により決定された前記ファクシミリ手段または印刷手段に対して送信する送信手段とを備えているので、印刷とファクシミリ送信の設定が共通に一度の設定で行うことができ、操作が容易である。また、共通に設定された機能に応じて、印刷とファクシミリ送信とのそれぞれに最適な設定を行うことができるという効果がある。
【００２２】
請求項８記載の画像処理装置によれば、請求項７記載の画像処理装置の奏する効果に加え、設定手段は、ファクシミリ手段と印刷手段とで共通に存在する機能を表示し、その機能について共通項目として設定可能に構成された設定画面を表示する表示手段を備えているので、印刷とファクシミリ送信の共通の機能について容易に設定操作を行うことができるという効果がある。
【発明を実施するための最良の形態】
【００２３】
以下、本発明の実施形態について、図面を参照して説明する。図１は、コンピュータ１とこのコンピュータ１とＬＡＮ（Local Area Network）により接続される多機能周辺装置１１との電気的構成を示すブロック図である。コンピュータ１は、Ｌｉｎｕｘ（登録商標）をオペレーティング・システム（ＯＳ）とし、ＣＰＵ２、ＲＡＭ３、ＲＯＭ４、表示部５、ハードディスク６（ＨＤＤ）、操作部７、ＬＡＮインターフェース８等により構成され、これらは、バスにより相互に接続されている。
【００２４】
ＣＰＵ２は、ＲＯＭ４やハードディスク６に記憶された各種プログラムを実行するプロセッサであり、ＲＡＭ３は、ＣＰＵ２が各種プログラムを実行する際、ハードディスク６に記憶されたプログラムを記憶するエリアや、変数などを一時記憶するワークエリア等を有するランダムにアクセスできるメモリである。
【００２５】
表示部５は、例えば液晶により構成される表示器であって、ＣＰＵ２によりプログラムが実行されるとユーザにより種々の値などが設定される設定画面や、設定された値などに基づいて形成された画像などが表示されるものである。
【００２６】
ハードディスク６は、不揮発性の大記憶容量を有するメモリであり、ＯＳであるＬｉｎｕｘ６ａや、ＣＵＰＳ（共通ＵＮＩＸ印刷システム：Common UNIX Printing System）６ｂや、ＰＰＤ（ポストスクリプト記述ファイル：PostScript Printer Description）６ｃや、多機能周辺装置１１により送信が行われた際の日時や送信先などの記録が記憶される送信ログファイル６ｄや、各種アプリケーションプログラム６ｅなどが記憶される。なお、ポストスクリプト（登録商標）は、ページ記述言語の一つである。
【００２７】
ＣＵＰＳ６ｂは、ＵＮＩＸ（登録商標）系のＯＳにおける印刷システムであって、各社が提供するプリンタにより印刷を行うための基本的な制御プログラムにより構成されている。ＣＵＰＳ６ｂにより実行される処理には、命令およびオプションにより構成されるコマンドラインを実行する処理や、ＧＵＩ（グラフィックユーザインターフェース）により入力されたパラメータに基づいて実行する処理や、印刷される印刷情報またはファクシミリ送信されるデータを蓄積し、順次出力するスプール処理などがある。
【００２８】
ＰＰＤ６ｃは、プリンタのオプションや、機能などを記述するもので、各プリンタ毎にプリンタメーカにより供給されるものである。送信ログファイル６ｄは、多機能周辺装置１１に送信させる送信データを送信した際に、送信したことを記録する管理ファイルであって、送信を開始した日時、送信先の名称やファクシミリ番号、画像ファイル名、解像度、用紙サイズ、送信枚数などを記憶するものである。アプリケーションプログラム６ｅは、このコンピュータにより実行される各種応用プログラムであって、文章や図表を作成するソフトウエアなどが記憶される。
【００２９】
操作部７は、例えばアルファベットや数字や記号などに対応する複数のキーを有し、文字や記号を入力することができるキーボードと、表示部５に表示されるカーソルを任意の位置に設定したり、アイコンなどをクリックするなどして操作を行うことが可能なマウスとを有するものである。
【００３０】
ＬＡＮインターフェース８は、ＬＡＮケーブルや無線ＬＡＮを介して周辺機器や他のコンピュータやサーバと通信を行うインターフェースで、多機能周辺装置１１に接続され、送信を行う送信情報をコンピュータ１から多機能周辺装置１１へ送信したり、多機能周辺装置１１が受信したファクシミリ受信情報を、多機能周辺装置１１からコンピュータ１へ送信することができる。
【００３１】
多機能周辺装置１１は、画像情報を送信先へ送信したり、画像情報を相手先から受信するファクシミリ機能や、画像情報を印刷する印刷機能や、画像情報を取り込むスキャナ機能などの複合機能を有する装置である。上述の通り、コンピュータ１から受信した画像情報をコンピュータ１により指定される送信相手へ送信したり、ファクシミリ受信した画像情報をコンピュータ１へ送信したり、コンピュータ１から受信した画像情報や受信した画像情報を印刷する機能などを有するものである。
【００３２】
次に、図２を参照してコンピュータ１により実行される画像処理について説明する。図２は、画像処理を示すフローチャートである。まず、コマンドラインとして入力されたコマンドおよびオプションを解析し、その解析に従って処理を行う（Ｓ１）。次に、ＧＵＩによる入力処理を行う（Ｓ２）。ＣＵＰＳ６ｂでは、ブラウザを開くことにより、ＣＧＩ（Common Gateway Interface）が起動し、ＧＵＩにより送信先の相手（ファクシミリ番号）、ファイル名、用紙サイズや各種オプションを設定することができる。次に、スプールファイルに蓄積されているデータを順次出力する（Ｓ３）。次にスプールファイルから出力される画像データを多機能周辺装置１１に送る作業であるバックエンド処理を行う（Ｓ４）。
【００３３】
次に、図３と図４を参照して、ＧＵＩによりＰＰＤ６ｃを設定する入力処理について説明する。図３は、ＧＵＩ入力処理を示すフローチャートであり、図４は、ＧＵＩにより表示部５に表示されるＰＰＤ６ｃの各種パラメータの設定画面１５である。まず、図３を参照して、ＧＵＩ入力処理について説明する。
【００３４】
ＧＵＩ入力処理では、まず、ＰＰＤ６ｃの設定画面１５を表示する（Ｓ１１）。この設定画面１５が、図４に示すものである。次に、この設定画面１５において、入力されたイベントに応じて処理を行う（Ｓ１２）。例えば、プルダウンメニューの表示が指示された場合は、プルダウンメニューを表示し、パラメータが選択または指定された場合は、そのパラメータを一時記憶したりする。
【００３５】
次に、入力されたイベントが設定を終了する指示であるか否かを判断する（Ｓ１３）。設定を終了するイベントは、操作部７（キーボード）のエンターキーが押された場合や、図４に示す設定画面１５において、ＯＫボタン１５ｈがマウスによりクリックされた場合である。
【００３６】
設定の終了を指示するイベントではない場合は（Ｓ１３：Ｎｏ）、そのイベントに応じて設定画面１５の表示を変更し（Ｓ１４）、Ｓ１２の処理に戻る。
【００３７】
設定の終了を指示するイベントである場合は（Ｓ１３：Ｙｅｓ）、いずれかのパラメータが変更されたか否かを判断し（Ｓ１５）、いずれかのパラメータが変更された場合は（Ｓ１５：Ｙｅｓ）、ＰＰＤ６ｃを書き換え（Ｓ１６）、いずれのパラメータも変更されていない場合は、ＰＰＤ６ｃを書き換えずに、このＧＵＩ入力処理を終了する。
【００３８】
次に、図４を参照して、ＧＵＩ入力処理において表示部５に表示される設定画面１５について説明する。設定画面１５には、ファクシミリ送信を行う場合の送信先を指定するファクシミリ送信先指定ボックス１５ａと、コンピュータ１から受信した画像情報をファクシミリにより送信先へ送信するのか、印刷装置により印刷を行うのかを設定する出力設定ボックス１５ｂと、印刷を行う場合またはファクシミリ送信を行う場合の画質を、高画質あるいは普通画質のいずれかに設定する画質設定ボックス１５ｃと、印刷またはファクシミリ送信を行う画像情報の記録用紙のサイズを設定する用紙サイズ設定ボックス１５ｄと、印刷またはファクシミリ送信される画像情報の見出しとして印刷される見出しを設定する見出し設定ボックス１５ｅと、ファクシミリ送信を行った際にログ記録を記憶するか否かを設定するログ記憶設定ボックス１５ｆと、ログ記録を記憶する場合のログレベルを設定するログレベル設定ボックス１５ｇと、設定の終了を指示するＯＫボタン１５ｈとが表示される。
【００３９】
各ボックスには、右方に、プルダウンメニューの表示を指示するアイコン（正方形の中に下方に向いた三角形を表示）が表示され、このアイコンをマウスでクリックすると、プルダウンメニューが表示される。例えば、送信先の場合には、印刷を行う場合に表示される空白と、図示しない別のメモリに記憶される同報通信（グループ１、２）や個人の氏名（例えば、子泉様）などが表示される。なお、グループ１、２にそれぞれ属する送信先の名称やファクシミリ番号などは、別途メモリに記憶されている。
【００４０】
また、用紙サイズとしては、Ａ４、リーガル、レター、ハガキなどが表示される。これらの表示された複数の候補の中から、マウスによりカーソルを移動し、いずれかを選択することができる。選択されたパラメータは、各ボックスに表示される。
【００４１】
次に、図５を参照してファクシミリ送信を行う場合の、バックエンド処理について説明する。図５は、図２に示すフローチャートのＳ４の処理の詳細な処理を示すフローチャートである。この処理は、ユーザによりファクシミリ送信のパラメータが設定された後、処理されるものであり、パラメータが設定されることにより送信情報は、スプールファイルに記憶されているものとする。スプールファイルは、コンピュータ１において、印刷あるいは、ファクシミリ送信が指示された場合に、印刷情報または送信情報を一時記憶するものであり、順次、印刷またはファクシミリ送信されるものである。
【００４２】
バックエンド処理では、まず、スプールファイルから送信情報を読み出す（Ｓ２１）。次に、コマンドラインで送信先のファクシミリ番号が指定されているか否かを判断する（Ｓ２２）。コマンドラインで送信先のファクシミリ番号が指定されている場合は（Ｓ２２：Ｙｅｓ）、送信情報を形成する（Ｓ２６）。この送信情報を形成する処理の詳細については、図７を参照して後述する。次に、その形成した送信情報を多機能周辺装置１１へ送信する（Ｓ２７）。
【００４３】
一方、Ｓ２２の判断処理において、コマンドラインで送信先が指定されていない場合は（Ｓ２２：Ｎｏ）、ＰＰＤ６ｃから、設定画面１５の出力設定ボックス１５ｂにより設定された設定情報を取出し（Ｓ２３）、ファクシミリ送信が設定されているかを判断する（Ｓ２４）。
【００４４】
ファクシミリ送信が設定されている場合は（Ｓ２４：Ｙｅｓ）、送信情報を形成する（Ｓ２６）。次に、形成した送信情報を多機能周辺装置１１へ送信する（Ｓ２７）。Ｓ２４の判断処理において、ファクシミリ送信ではない、すなわち印刷が設定されている場合は（Ｓ２４：Ｎｏ）、印刷情報を形成する（Ｓ２５）。この印刷情報を形成する処理の詳細については、図６を参照して後述する。次に、形成した印刷情報を多機能周辺装置１１へ送信する（Ｓ２７）。Ｓ２７の送信処理の終了後に、このバックエンド処理を終了する。
【００４５】
次に、図６を参照して印刷情報形成処理について説明する。この処理は、図５に示すバックエンド処理のＳ２５の処理の詳細である。まず、ＰＰＤ６ｃに設定された画質が高画質か否かを判断する（Ｓ３１）。
【００４６】
高画質に設定されている場合は（Ｓ３１：Ｙｅｓ）、印刷画像の解像度を例えば１２００ｄｐｉとし（Ｓ３３）、高画質に設定されていない場合（Ｓ３１：Ｎｏ）、すなわち普通画質に設定されている場合は、印刷画像の解像度を例えば６００ｄｐｉとし（Ｓ３２）、横幅固定でラスタライズを行い（Ｓ３４）、さらにプリンタ圧縮形式にエンコードを行って（Ｓ３５）、この印刷情報形成処理を終了する。
【００４７】
次に、図７を参照して送信情報形成処理について説明する。この処理は、図５に示すバックエンド処理のＳ２６の処理の詳細である。まず、ＰＰＤ６ｃに設定された画質が高画質か否かを判断する（Ｓ４１）。
【００４８】
高画質に設定されている場合は（Ｓ４１：Ｙｅｓ）、送信画像の解像度を例えば２００×１００ｄｐｉとし（Ｓ４３）、高画質に設定されていない場合（Ｓ４１：Ｎｏ）、すなわち普通画質に設定されている場合は、送信画像の解像度を例えば１００×１００ｄｐｉとし（Ｓ４２）、ラスタライズを行い（Ｓ４４）、さらにファクシミリ圧縮形式であるＴＩＦＦ形式にエンコードを行い（Ｓ４５）、この送信情報形成処理を終了する。
【００４９】
以上、第１の実施形態に基づいて説明したように、設定画面では、印刷処理とファクシミリ送信処理とで共通に画質を設定すると、印刷処理を行う場合は、高画質が選択されている場合には、解像度が１２００ｄｐｉに設定され、普通画質が選択されている場合は、解像度が６００ｄｐｉに設定される。一方、ファクシミリ送信処理を行う場合は、高画質が選択されている場合には、解像度が２００×１００ｄｐｉに設定され、普通画質が選択されている場合は、解像度が１００×１００ｄｐｉに設定される。よって、ユーザは、印刷処理とファクシミリ送信処理とに共通に画質を設定するだけで、印刷処理とファクシミリ送信処理とにおいて、それぞれの場合に最適な解像度が設定される。
【００５０】
次に、第２の実施形態について図８を参照して説明する。第１の実施形態では、印刷処理とファクシミリ送信処理とで共通に画質を設定し、印刷を行う場合の画像の解像度とファクシミリ送信を行う場合の画像が適切に設定されるものであるが、印刷処理とファクシミリ送信処理とで共通に記録用紙のサイズを設定するようにすると、ファクシミリ送信では、使用されない用紙サイズが設定される場合がある。第２実施形態では、ファクシミリ送信では使用されない用紙サイズが設定された場合には、警告を発するもである。なお、前記した第１の実施形態と同一部分については、同一の符号を付しその説明を省略し、異なる部分についてのみ説明する。
【００５１】
図８は、図７に示す第１の実施形態における送信情報処理に代わる第２の実施形態における送信情報処理を示すフローチャートである。まず、ＰＰＤ６ｃに設定された記録用紙サイズがＡ４またはレターまたはリーガルのいずれかであるか否かを判断する（Ｓ５１）。記録用紙サイズがＡ４またはレターまたはリーガルのいずれかに設定されている場合は（Ｓ５１：Ｙｅｓ）、ＰＰＤ６ｃに設定された画質が高画質か否かを判断する（Ｓ４１）。
【００５２】
高画質に設定されている場合は（Ｓ４１：Ｙｅｓ）、送信画像の解像度を例えば２００×１００ｄｐｉとし（Ｓ４３）、高画質に設定されていない場合（Ｓ４１：Ｎｏ）、すなわち普通画質に設定されている場合は、送信画像の解像度を例えば１００×１００ｄｐｉとし（Ｓ４２）、ラスタライズを行い（Ｓ４４）、さらにファクシミリ圧縮形式であるＴＩＦＦ形式にエンコードを行い（Ｓ４５）、この送信情報形成処理を終了する。
【００５３】
一方、Ｓ５１の判断処理で、記録用紙サイズがＡ４またはレターまたはリーガルのいずれでもない場合は（Ｓ５１：Ｎｏ）、用紙サイズエラーの警告を発生する（Ｓ５２）。この警告は、表示器である表示部５にその旨を表示するようにしてもよいし、警告音を発生する警告音発生装置を備え、用紙サイズが適切ではないことを示す警告音または音声を発生するようにしてもよい。
【００５４】
以上、第２の実施形態に基づいて説明したように、設定画面では、印刷処理とファクシミリ送信処理とで共通に記録用紙サイズを設定し、ファクシミリ送信処理において、ファクシミリ送信では使用されない用紙サイズが設定されている場合には、警告を発生するので、ユーザは、正しい用紙サイズに設定することができる。
【００５５】
次に、第３の実施形態について図９を参照して説明する。第２の実施形態では、設定画面では、印刷処理とファクシミリ送信処理とで共通に記録用紙サイズを設定し、ファクシミリ送信処理において、ファクシミリ送信では使用されない用紙サイズが設定されている場合には、警告を発生するものであるが、第３の実施形態では、同様に設定画面では、印刷処理とファクシミリ送信処理とで共通に記録用紙サイズを設定し、ファクシミリ送信処理において、ファクシミリ送信では使用されない用紙サイズが設定されている場合には、用紙サイズを変更するとともに、設定された用紙サイズと変更された用紙サイズの比に応じて送信画像のサイズを拡大または縮小するものである。なお、前記した第１の実施形態および第２の実施形態と同一部分については、同一の符号を付しその説明を省略し、異なる部分についてのみ説明する。
【００５６】
図９は、図７に示す第１の実施形態における送信情報処理に代わる第２の実施形態における送信情報処理を示すフローチャートである。まず、ＰＰＤ６ｃに設定された記録用紙サイズがＡ４またはレターまたはリーガルのいずれかであるか否かを判断する（Ｓ６１）。記録用紙サイズがＡ４またはレターまたはリーガルのいずれかにも設定されていない場合は（Ｓ６１：Ｎｏ）、記録用紙サイズをＡ４に変更し、設定されていた用紙サイズとＡ４との比から拡大または縮小率を取得する（Ｓ６２）。例えば、設定されていた用紙サイズがハガキであれば、ハガキの大きさと、Ａ４の大きさとの比から拡大率を取得する。また、設定されていた用紙サイズがＢ４であれば、Ａ４とＢ４との比から縮小率を取得する。次に、その拡大率または縮小率に基づいて、送信画像を拡大または縮小する（Ｓ６３）。拡大率が設定されている場合には、送信画像は拡大され、縮小率が設定されている場合には、送信画像は縮小される。
【００５７】
Ｓ６３の処理後、またはＳ６１の判断処理において、記録用紙サイズがＡ４またはレターまたはリーガルのいずれかに設定されていない場合は（Ｓ６１：Ｙｅｓ）、次に、ＰＰＤ６ｃに設定された画質が高画質か否かを判断する（Ｓ４１）。高画質に設定されている場合は（Ｓ４１：Ｙｅｓ）、送信画像の解像度を例えば２００×１００ｄｐｉとし（Ｓ４３）、高画質に設定されていない場合（Ｓ４１：Ｎｏ）、すなわち普通画質に設定されている場合は、送信画像の解像度を例えば１００×１００ｄｐｉとし（Ｓ４２）、ラスタライズを行い（Ｓ４４）、さらにファクシミリ圧縮形式であるＴＩＦＦ形式にエンコードを行って（Ｓ４５）、この送信情報形成処理を終了する。
【００５８】
以上、第３の実施形態に基づいて説明したように、設定画面では、印刷処理とファクシミリ送信処理とで共通に記録用紙サイズを設定し、ファクシミリ送信処理において、ファクシミリ送信では使用されない用紙サイズが設定された場合には、用紙サイズを所定の大きさ（例えばＡ４）に変更し、送信画像のサイズを設定された用紙サイズの大きさと変更された用紙サイズとの比に応じて拡大または縮小する。よって、ユーザがファクシミリ送信を行う場合の記録用紙サイズを誤って設定しても所定の用紙サイズに変更されるとともに、送信画像の大きさが変更された用紙サイズに適合されたものになる。
【００５９】
なお、請求項１記載の出力先決定ステップおよび請求項７記載の出力先決定手段は、図５に記載のフローチャートのＳ２２またはＳ２４の処理が該当し、請求項１記載の設定読み取りステップおよび請求項７記載の設定読み取り手段は、図５に記載のフローチャートのＳ２３の処理が該当し、請求項１記載の画像データ生成ステップおよび請求項７記載の画像データ生成手段は、図５に記載のフローチャートのＳ２５およびＳ２６の処理が該当し、請求項１記載の送信ステップおよび請求項７記載の送信手段は、図５に記載のフローチャートのＳ２７の処理が該当する。
【００６０】
また、請求項２記載の印刷画像生成ステップは、図６に記載のフローチャートの処理が該当し、送信画像生成ステップは、図７に記載のフローチャートの処理が該当する。また、請求項３記載の警告発生ステップは、図８に記載のフローチャートのＳ５２の処理が該当する。また、請求項４記載の記録用紙サイズ変更ステップは、図９に記載のフローチャートのＳ６２の処理が該当する。また、請求項５記載の送信画像拡大縮小ステップは、図９に記載のフローチャートのＳ６３の処理が該当する。また、請求項６記載の制御ステップは、図５に記載のフローチャートのＳ２２の処理が該当する。
【００６１】
以上実施形態に基づき本発明を説明したが、本発明は上記実施形態に何ら限定されるものでなく、本発明の趣旨を逸脱しない範囲内で種々の改良変形が可能であることは容易に推察できるものである。
【００６２】
例えば、上記第１、第２および第３の実施形態では、すべての処理がコンピュータ１において実行され、形成された印刷データまたは送信データが多機能周辺装置１１に送信されるものとしたが、これらの処理が、多機能周辺装置１１の内部で実行されるようにしてもよい。
【図面の簡単な説明】
【００６３】
【図１】本発明の実施形態におけるコンピュータとそのコンピュータに接続される多機能周辺装置の電気的構成を示すブロック図である。
【図２】印刷またはファクシミリ送信処理を示すフローチャートである。
【図３】ＧＵＩ処理を示すフローチャートである。
【図４】印刷およびファクシミリ送信の機能を設定する設定画面を示す画面図である。
【図５】バックエンド処理を示すフローチャートである。
【図６】印刷情報形成処理を示すフローチャートである。
【図７】送信情報形成処理を示すフローチャートである。
【図８】第２の実施形態における送信情報形成処理を示すフローチャートである。
【図９】第３の実施形態における送信情報形成処理を示すフローチャートである。
【符号の説明】
【００６４】
１              コンピュータ
２              ＣＰＵ
５              表示部（設定手段の一部、表示手段）
６              ハードディスク
６ｂ            ＣＵＰＳ
６ｃ            ＰＰＤ
７              操作部（設定手段の一部）
１１            多機能周辺装置（画像処理装置）
【図１】
2007060065.tif 000003
【図２】
2007060065.tif 000004
【図３】
2007060065.tif 000005
【図４】
2007060065.tif 000006
【図５】
2007060065.tif 000007
【図６】
2007060065.tif 000008
【図７】
2007060065.tif 000009
【図８】
2007060065.tif 000010
【図９】
2007060065.tif 000011